(57)【特許請求の範囲】
【請求項１】
ベルトが取り付けられる基材と、光ファイバを融着接続する融着接続機が取り付けられる固定具と、アングルとを有し、
前記アングルの一方側に前記基材が取り付けられ、その他方側に前記固定具がフリーストップ型のヒンジを介して回動自在に且つ任意の位置で停止可能に取り付けられ、
前記基材と前記固定具との間は、前記融着接続機を取り付けた状態の前記固定具を前記基材側に回動させて折り畳むことで前記融着接続機を収納可能な間隔に形成されている、
ことを特徴とする融着接続機搭載用作業台。
【請求項２】
前記基材には前記ベルトを取り付けるための取り付け孔が形成されていることを特徴とする請求項１に記載の融着接続機搭載用作業台。
【請求項３】
前記ベルトには、工具や必要な小物を入れることが可能なポケットを備えていることを特徴とする請求項１又は請求項２に記載の融着接続機搭載用作業台。
【発明の詳細な説明】
【技術分野】
【０００１】
本発明は、任意の場所で光ファイバの融着接続を行うための融着接続機を搭載するための作業台に関するものである。
【背景技術】
【０００２】
光ファイバを接続する機器として融着接続機がある。従来は光ファイバの接続工事としては幹線系と呼ばれる光ファイバケーブルから多数の光ファイバを1本ずつ接続する作業が主であり、場所はマンホール内の地下や電柱上などが多かった。一度に接続する光ファイバの本数が多いことから作業に時間を要することから、接続現場では安定して長時間作業が出来るように、地面や車内、バケットの中等に融着接続機を固定し、作業環境をきちんと確保して行っていた。（例えば特許文献１〜４）
【０００３】
この種の融着接続機の固定手段は、光ケーブルに板状の作業台をぶら下げて、その上に融着接続機を固定し、接続作業をするということが主であった。この場合、作業台も大きく重量があるため、作業台の準備が大掛かりであることや、大量に接続するような場合は良いが数本の接続のような短時間作業では効率が悪いものになっていた。
【０００４】
また、このような接続方法では、今後の主流となるFTTH（Fiber To The Home）工事のような、家の軒先やベランダなどの短時間作業では効率が悪いことから、近年小型の融着機が開発されている（例えば特許文献５参照）
このような小型の融着機は、携帯性に富んでいて持ち運びに便利であるが、接続作業を行うには、本体は安定した状態に保持することが作業上重要であり、小型で機能性に富んだ作業台が求められていた。
【０００５】
他方、本発明に類似するものとして端末装置を保持するホルダがある。（例えば特許文献６）
この公知のホルダー５０１は、図９に示すように、保持部５０２と取付部５０３とに大別され、取付部５０３は、端末装置５１０を固定するためのバンド５０５と、ズボン、或いはベルトの内側に挿入されるフックとを有している。このフック５０６の根元の部分である本体との連結部Ｃは柔軟性を有し、自由に折り曲がるようになっている
このため、端末装置５１０を操作する場合、扱者Ｓはこの端末装置５１０を図に向かって左（矢印方向）に回動させることで持ち上げ、操作を行い易い状態でこれを操作することができる特徴を有する。
【０００６】
【特許文献１】特開平10-164715号公報
【特許文献２】特開平10-206652号公報
【特許文献３】特開平10-282356号公報
【特許文献４】特開平10-300947号公報
【特許文献５】特開2004-184543号公報
【特許文献６】特開平08-223262号公報
【発明の開示】
【発明が解決しようとする課題】
【０００７】
近年、幹線系の接続工事は大幅に減少し、FTTHサービスと呼ばれる各家庭への光ファイバの敷設工事が主になってきている。家庭での接続工事の場合、接続点数は1、2箇所、一つの接続点では1回の接続のみ、場所は電柱から引き落とした家の軒先やベランダなどというように工事形態がかなり変わってきている。このため、融着接続機も上記のとおり大幅に小型・軽量化され、持ち運びのし易いポータブルなものに変わってきている。
上記のような接続場所の場合、接続場所が十分確保できないことや、一箇所での接続数が少ないことから作業の効率性を考慮して、特に作業場を設けず、梯子や電柱に登り、融着接続機を片手に持ったまま、あるいは首や電線にぶらさげて接続工事を行っている。しかしながら接続工事は2本の光ファイバを接続するため、融着機は安定的に設置されて作業し易いことが望まれていた。
【０００８】
また、特許文献６に示すようなホルダでは、端末装置の替わりに融着接続機を適用することも考えられるが、この場合、融着接続機が軽くなったとはいえ、やはりそれなりの重量があり、上記のようにフック５０６の根元の部分に柔軟性を持たせて本体を自由に折り曲げる方式では、両手が自由にならず接続作業を容易に行うことができず、更に融着接続機の表の面を扱者側に折畳むことができず、更に融着接続機を携帯して移動する際に、由着接続器の表の面に傷が付いたり、破損してしまう等の課題があった。
【課題を解決するための手段】
【０００９】
本発明は、かかる点に鑑みなされたもので、その要旨は、基材の両端部に作業ベルトが取り付けられ、その基材には融着接続機搭載用固定具が任意の角度で回転停止できるヒンジを介して取り付けられ、融着接続機搭載用固定具は融着接続機を固定・保持する固定具が取り付けられ、且つ基材と固定具との間には融着接続機を取り付けた状態で基材に折り曲げ可能とする融着接続機収納部が形成されていることを特徴とする融着接続機搭載用作業台である。
【発明の効果】
【００１０】
このため、扱者が、接続現場への移動時、あるいは融着接続作業時に融着機を固定したまま両手が自由になり作業効率が向上する。任意の角度に固定できることで、作業環境を問わず、また扱者の操作し易いなど、千差万別の作業条件にも対応できる。また移動時にコンパクトに収納しながら両手が自由になることで、狭い場所への行き来も簡単になり、安全性が増す効果が得られる。
【発明を実施するための最良の形態】
【００１１】
本願発明は、以下に示す種々の実施形態を採用することができる。
基材の両端の上部には、吊り下げベルト取り付け用の取り付け部が形成されていることを特徴とする。これにより、融着接続機の重さを扱者の腰で負担するのみならず、肩でも負担することができ、重量が重い融着接続機を扱うことができる。
作業ベルトには、工具や必要な小物を入れることが出来るポケットを備えていることを特徴とする。これにより、接続作業に必要な工具・部品をそのポケットに収納させて融着接続操作をスムーズに行うことができる。
【実施例１】
【００１２】
以下本発明を図示した実施例により更に詳しく説明する。
図１において、1は本実施例における融着接続機搭載用作業台であり、基材２と、アングル３と、融着接続機搭載用固定具４と、アングル３と融着接続機搭載用固定具４とを回動自在に保持し、その回動を任意の位置で固定・保持することができるヒンジ５とで構成されている。
【００１３】
基材２、アングル３、融着接続機搭載用固定具４はアルミニューム、鉄、ステンレスなどの金属板で構成されているが、これらを構成する質量を軽くするためになるべく軽い材料のアルミニューム材を使用するのが良い。
基材２の両端部にはそれぞれ後述する作業ベルト６（図６参照）を取り付けるための取り付け孔７が形成されている。また、この上部には後述する吊り下げベルト８（図６参照）を取り付けるための取り付け孔９が形成されている。
【００１４】
アングル３は、断面がＬ字型に形成されており、その一辺がボルト１０により、基材２に一体に取り付けされている。
前記辺と異なるアングル３の他の一辺と融着接続機搭載用固定具４とは、ヒンジ５により固定され、回動自在に且つ任意の回転位置で停止させることができるようになっている。
【００１５】
また、この他の一辺の長さは融着接続機１１の厚さと同程度あるいはこれよりも長く構成され、基材２と融着接続機搭載用固定具４との間には融着接続機１１を取り付けた状態の融着接続機搭載用固定具４を基材２側に回動させて融着接続機１１を収納可能な間隔Ｄの融着接続機収納部１２が形成されている。
【００１６】
融着接続機搭載用固定具４は、板状の形状を成しており、その中央部に裏面から貫通して配置されたボルト１３が配置されている。そして、このボルト１３の操作摘み１３'（図５参照）を融着接続機搭載用固定具４の裏面で回転させることにより、図２〜図５に示すように、融着接続機１１の裏面に形成された図示しない螺子孔に前記ボルト１３を螺合させ、融着接続機１１を融着接続機搭載用固定具４上に搭載・固定することができるようになっている。
【００１７】
ヒンジ５はフリーストップ型に構成されており、融着接続機搭載用固定具４に融着接続機１１を取り付けた状態で、基材２に対して融着接続機１１を図２〜５に示すように任意の角度に回転させることができ、又その回転させる応力を解除しても、その角度を保持できるようになっている。
【００１８】
図７は本実施例の使用状態を示す外観図であり、基材２に取り付けられた作業ベルト６が扱者Ｓの腰に回されて、本融着接続機搭載用作業台１が扱者Ｓの前部に配置されている。更に基材２に取り付けられた吊り下げベルト８が扱者Ｓの肩に掛けられて本融着接続機搭載用作業台１を持ち上げている。
【００１９】
これにより、扱者Ｓは自由になった両手で融着接続機１１を操作し、融着接続作業を行うことができる。
また、本実施例は上述のように融着接続機搭載用固定具４を任意の角度に回転・固定させることができるので、作業環境に応じて任意の回転位置に融着機を固定でき、作業効率を高めることができる。
【００２０】
また更に、本実施例は図２に示すように、融着接続機搭載用固定具４に融着接続機１１を配置させた状態で基材２側に折り畳むことができるので、融着接続機１１を使用しないときに扱者Ｓに近接して配置させることができ、移動の際に融着接続機１１が他のものにぶつかることななく、安全に移動することができ、更にこれにより、融着接続機１１に傷を付けたり、破損させることが無くなる。
【００２１】
図７、図８は本発明の他の実施例に対して融着接続機１１を異なる方向に取り付けた例を示す斜視図であり、図７は融着接続機搭載用固定具４に対して融着接続機１１を横向きに、図８は図３と反対向きに取り付けた例を示すものである。このような取り付けを行うことにより、作業環境に応じて融着接続機１１の向きを適宜変えることも可能である。
のネジがある。
【図面の簡単な説明】
【００２２】
【図１】本発明の一実施例を示す要部分解斜視図。
【図２】従来の一例の動作説明図。
【図３】従来の一例における他の動作説明図。
【図４】従来の一例における更に他の動作説明。
【図５】本発明の一実施例を示す要部分解斜視図。
【図６】従来の一例の動作説明図。
【図７】従来の一例における他の動作説明図。
【図８】従来の一例における更に他の動作説明。
【図９】従来の一例における更に他の動作説明。
【符号の説明】
【００２３】
１    本融着接続機搭載用作業台
２    基材
３    アングル
４    融着接続機搭載用固定具
５    ヒンジ
６    作業ベルト
７    取り付け孔
８    吊り下げベルト
９    取り付け孔
１０    ボルト
１１    融着接続機
１１    融着接続機
１２    融着接続機収納部
１３    ボルト
５０１    ホルダー
５０２    保持部
５０３    取付部
５０５    バンド
５０６    フック
５１０    端末装置
Ｃ    連結部
Ｓ    扱者
【図１】
0004413870.tif 000002
【図９】
0004413870.tif 000003
【図２】
0004413870.tif 000004
【図３】
0004413870.tif 000005
【図４】
0004413870.tif 000006
【図５】
0004413870.tif 000007
【図６】
0004413870.tif 000008
【図７】
0004413870.tif 000009
【図８】
0004413870.tif 000010